(57)【要約】  【課題】  現在の再生箇所に対応する歌詞を表示すると共に、曲全体の歌詞をスクロール可能に表示して、再生箇所以外の歌詞を確認できるようにする。  【解決手段】  携帯電話器の表示パネル部１０ｃの表示範囲Ｈの上領域ｈ１に再生対象のカラオケ曲の歌詞（フレーズＰ１０〜Ｐ１４）をスクロール可能に表示し、上領域ｈ１の上部にはカラオケ曲の全データ範囲に応じたインジケータ２５及び現在の再生箇所を示す指示ポイント２６を表示する。表示範囲Ｈの下領域ｈ２には、現在の再生箇所に対応するフレーズＰ１及び次のフレーズＰ２を上下に表示する。携帯電話器は上領域ｈ１に表示される歌詞中の一つのフレーズが選択されると、選択されたフレーズから再生を開始すると共に、そのフレーズを下領域ｈ２に表示する。【選択図】      図７
2006163085.tif 000002
【特許請求の範囲】
【請求項１】
データを受け付けるデータ受付手段及び該データ受付手段が受け付けた歌詞データに係る歌詞を表示する表示部を備える歌詞表示装置において、
前記表示部の一領域に、歌詞の一部のフレーズを表示する処理を行う第１表示処理手段と、
前記表示部の他領域に、前記歌詞を表示する処理を行う第２表示処理手段と、
前記他領域に表示される歌詞のスクロール指示を受け付ける指示受付手段とを備え、
前記第２表示処理手段は、前記指示受付手段が受け付けるスクロール指示に基づき表示する歌詞をスクロールする手段を備えることを特徴とする歌詞表示装置。
【請求項２】
前記他領域に表示される歌詞の中から一のフレーズの選択を受け付ける選択受付手段を備え、
前記第１表示処理手段は、前記選択受付手段が受け付けた選択に応じた一のフレーズの表示処理を行うようにしてある請求項１に記載の歌詞表示装置。
【請求項３】
記憶媒体と、
前記選択受付手段が受け付けた選択に応じた一のフレーズの歌詞中の箇所を前記記憶媒体に記憶する処理を行う記憶処理手段とを備え、
前記第１表示処理手段は、記憶された箇所に係る一のフレーズの表示処理を行うようにしてある請求項２に記載の歌詞表示装置。
【請求項４】
前記第１表示処理手段は、
複数の連続するフレーズを表示する処理を行うようにしてあり、
前記選択受付手段が受け付けた選択に応じた一のフレーズを他のフレーズと識別する表示処理を行う手段を備える請求項２又は請求項３に記載の歌詞表示装置。
【請求項５】
前記データ受付手段は、歌詞データに対応して組み合わされた楽曲データを受け付けるようにしてあり、
前記表示部で表示する歌詞の歌詞データに組み合わされた楽曲データを再生する再生手段を備え、
前記第１表示処理手段は、前記再生手段が再生する楽曲データの再生箇所に対応する歌詞のフレーズを表示する処理を行うようにしてある請求項１乃至請求項４のいずれか１つに記載の歌詞表示装置。
【請求項６】
前記第１表示処理手段は、前記再生手段が楽曲データを再生していない場合、表示処理を停止する手段を備え、
前記第２表示処理手段は、前記再生手段が楽曲データを再生していない場合、前記表示部の一領域及び他領域に歌詞を表示する処理を行うようにしてある請求項５に記載の歌詞表示装置。
【請求項７】
前記再生手段が再生する楽曲データの再生箇所を該楽曲データの全データ範囲に対応付けて示すインジケータを前記表示部に表示する処理を行うインジケータ表示手段を備える請求項５又は請求項６に記載の歌詞表示装置。
【請求項８】
前記選択受付手段の受付に係る選択対象の変更指示を受け付ける変更指示受付手段を備え、
前記インジケータ表示手段は、前記変更指示受付手段が受け付ける変更指示に応じた箇所を全データ範囲に対応付けて示すことを特徴とする請求項７に記載の歌詞表示装置。
【請求項９】
前記歌詞データは付属情報を有し、
前記第２表示処理手段は、歌詞及び付属情報を表示する処理を行うようにしてある請求項１乃至請求項８のいずれかに記載の歌詞表示装置。
【請求項１０】
カラオケデータを再生して楽曲音を出力する出力手段及び再生箇所に対応する歌詞のフレーズを表示する表示部を有するカラオケ装置、並びに受け付けた操作に係る指示を該カラオケ装置へ無線で送信する遠隔操作装置を備えるカラオケシステムにおいて、
前記遠隔操作装置は、
表示パネル部と、
曲検索データ及び歌詞データが記憶してある記憶部と、
該記憶部に記憶してある曲検索データに基づき再生するカラオケ曲の選択を受け付ける曲受付手段と、
該曲受付手段が受け付けたカラオケ曲の歌詞データに係る歌詞を前記表示パネル部に表示する処理を行う表示処理手段と、
前記表示パネル部に表示される歌詞のスクロール指示を受け付ける指示受付手段とを備え、
前記表示処理手段は、前記指示受付手段が受け付けるスクロール指示に基づき表示する歌詞をスクロールする手段を備えることを特徴とするカラオケシステム。
【請求項１１】
前記遠隔操作装置は、
前記表示パネル部に表示される歌詞の中から一のフレーズの選択を受け付ける選択受付手段と、
該選択受付手段が受け付けた選択に応じた一のフレーズから再生することを指示する再生指示を前記カラオケ装置へ送信する手段とを備え、
前記カラオケ装置は、
送信されてきた再生指示に係る一のフレーズからカラオケデータを再生する手段を備える請求項１０に記載のカラオケシステム。
【請求項１２】
前記遠隔操作装置は、
前記選択受付手段が受け付けた選択に応じた一のフレーズの歌詞中の箇所を前記記憶部に記憶する処理を行う記憶処理手段と、
記憶された箇所に応じた一のフレーズから再生することを指示する再生指示を前記カラオケ装置へ送信する手段とを備える請求項１１に記載のカラオケシステム。
【請求項１３】
前記カラオケ装置は、
複数の連続するフレーズを前記表示部に表示するようにしてあり、
前記選択受付手段が受け付けた選択に応じた一のフレーズを他のフレーズと識別する表示処理を行う手段を備える請求項１１又は請求項１２に記載のカラオケシステム。
【請求項１４】
前記カラオケ装置は、
カラオケデータの再生箇所を該カラオケデータの全データ範囲に対応付けて示すインジケータを前記表示部に表示する処理を行うインジケータ表示手段を備える請求項１０乃至請求項１３のいずれか１つに記載のカラオケシステム。
【請求項１５】
前記遠隔操作装置は、
前記選択受付手段の受付に係る選択対象の変更指示を受け付ける変更指示受付手段と、
該変更指示受付手段が受け付けた変更指示を前記カラオケ装置へ送信する手段とを備え、
前記カラオケ装置は、
送信されてきた変更指示に応じた箇所を全データ範囲に対応付けて示す手段を備える請求項１４に記載のカラオケシステム。
【請求項１６】
前記遠隔操作装置の記憶部で記憶される歌詞データは付属情報を有し、
前記遠隔操作装置は、前記表示パネル部に歌詞及び付属情報を表示する処理を行う手段を備える請求項１０乃至請求項１５のいずれか１つに記載のカラオケシステム。
【請求項１７】
指示の受付部と、データの記憶部と、表示部とを備えるコンピュータに、該記憶部に記憶させた歌詞データに係る歌詞を前記表示部で表示させるためのコンピュータプログラムにおいて、
前記コンピュータを、
前記表示部の一領域に歌詞の一部のフレーズを表示する処理を行う手段と、
前記表示部の他領域に前記歌詞を表示する処理を行う手段と、
前記受付部で受け付けられるスクロール指示に基づいて前記他領域に表示する歌詞をスクロールする手段として機能させることを特徴とするコンピュータプログラム。
【請求項１８】
前記コンピュータを、
前記受付部で受け付けられる選択指示に応じた前記他領域に表示される歌詞の中の一のフレーズを前記表示部の一領域に表示する処理を行う手段として機能させることを特徴とする請求項１７に記載のコンピュータプログラム。
【請求項１９】
前記コンピュータを、
前記受付部で受け付けられる選択指示に応じた一のフレーズの歌詞中の箇所を前記記憶部に記憶させる処理を行う記憶処理手段と、
前記記憶部に記憶された箇所に係る一のフレーズを前記表示部の一領域に表示する処理を行う手段として機能させることを特徴とする請求項１８に記載のコンピュータプログラム。
【請求項２０】
前記コンピュータを、
前記表示部の一領域に複数の連続するフレーズを表示する処理を行う手段と、
前記受付部で受け付けられる選択指示に応じた一のフレーズを他のフレーズと識別する表示処理を前記表示部の一領域に対して行う手段として機能させることを特徴とする請求項１８又は請求項１９に記載のコンピュータプログラム。
【請求項２１】
前記記憶部に歌詞データに対応して組み合わされた楽曲データが記憶してあり、
前記コンピュータを、
前記表示部で表示する歌詞の歌詞データに組み合わされる楽曲データを再生する再生手段と、
前記表示部の一領域に前記再生手段が再生する楽曲データの再生箇所に対応する歌詞のフレーズを表示する処理を行う手段として機能させることを特徴とする請求項１７乃至請求項２０のいずれか１つに記載のコンピュータプログラム。
【請求項２２】
前記コンピュータを、
前記再生手段が再生する楽曲データの再生箇所を該楽曲データの全データ範囲と対応付けて示すインジケータを前記表示部に表示する処理を行う手段として機能させることを特徴とする請求項２１に記載のコンピュータプログラム。
【発明の詳細な説明】
【技術分野】
【０００１】
本発明は、ユーザが所望する箇所からスムーズにカラオケ曲の再生を開始できると共に、現在の歌唱箇所を容易に把握可能にした歌詞表示装置、カラオケシステム、及びコンピュータプログラムに関する。
【背景技術】
【０００２】
従来、カラオケ曲に合わせて歌唱するには、専用のカラオケシステムを用いる場合が多い。専用のカラオケシステムは一般に、カラオケ曲の再生、歌詞の表示、及びユーザの歌唱音の増幅出力等を行うカラオケ装置と、カラオケ曲の再生指示等をカラオケ装置へ無線で送信する遠隔操作装置とで構成されている。また、昨今の遠隔操作装置には、カラオケ曲の検索機能を具備したものも存在し、このような検索機能付き遠隔操作装置は入力された検索文字及び検索結果等を表示できる表示パネル部を有する。
【０００３】
一方、上述した専用のカラオケシステム以外に、表示画面及び音声出力用のスピーカを備えるパーソナルコンピュータ、携帯電話器等の情報処理装置（コンピュータ）にインストールされて、情報処理装置をカラオケ装置として機能させるカラオケ用のプログラムが存在する。
【０００４】
従来のカラオケシステム又はカラオケ用のプログラムがインストールされた情報処理装置を用いて曲を練習する際、曲中のサビのフレーズのような特定範囲を反復練習できるようにカラオケ曲を構成するデータの所定箇所にマークデータを付し、そのマークデータを目印にして再生箇所を移動できるようにした装置が開示されている（特許文献１参照）。
【０００５】
また、カラオケ曲を構成するデータをデジタル化し、データの所定箇所を示すアドレス情報を利用して再生箇所を特定することで、再生箇所を素早くサーチして移動可能にしたものも存在する（特許文献２参照）。
【特許文献１】特開昭６３−２５６３９１号公報
【特許文献２】特開平４−１９０３９７号公報
【発明の開示】
【発明が解決しようとする課題】
【０００６】
従来のカラオケシステム又はカラオケ用のプログラムがインストールされた情報処理装置では、現在の歌唱箇所（再生箇所）に対応する歌詞の表示は行われるが、現在の歌唱箇所から離れた箇所の歌詞及び全体的な歌詞の表示は行えない。そのため、一つのカラオケ曲の再生中に、現在の歌唱箇所とは異なる他の箇所からユーザが歌唱（再生）を希望する場合、その箇所を容易に探すことができなかったと云う問題がある。
【０００７】
なお、上述した特許文献１に係る装置では、ユーザの所望する箇所へ移動して再生を行うためにカラオケ曲のデータ自体にマークデータを付すので、データ自体を新たに作り直す必要があるため既存のカラオケデータをそのまま流用できないと云う問題がある。
【０００８】
また、カラオケ曲中の所望箇所から再生するときに、実際に歌唱することを考慮すれば、曲中の楽句毎の区切りとなるフレーズ単位で再生箇所を特定した方が歌いやすい。よって、特許文献２のようにアドレス情報を利用して自由な箇所からカラオケ曲を再生可能にすると、フレーズの途中から再生が開始されることもあり、この場合、ユーザは歌い始めの歌詞を合わせることが困難となる。
【０００９】
さらに、図１６に示すように、従来のカラオケシステム又はカラオケ用のプログラムがインストールされた情報処理装置では、現在の歌唱箇所を含む２つの歌詞フレーズを装置の表示部Ｄに表示するものがある。この場合、歌詞フレーズの表示範囲の中で上部分ｄ１及び下部分ｄ２に分けて各歌詞フレーズは表示されるが、表示対象の歌詞フレーズは上下部分ｄ１、ｄ２のいずれの部分に表示されるかが予め決まっているので、再生箇所を移動した場合、再生開始直後の歌詞フレーズが必ず上部分ｄ１に表示されるとは限らない。そのため、再生箇所を移動した場合、上部分ｄ１又は下部分ｄ２のいずれに表示される歌詞フレーズを参照して歌唱すればよいかをユーザが即座に判断できないと云う問題がある。
【００１０】
さらにまた、１つの曲で歌詞が１番から３番と云うように複数の歌詞番が存在する場合、歌詞番ごとに同様な歌詞部分が存在すると、現在の歌唱箇所が何番の歌詞であるかをユーザが歌唱に熱中するあまり、判別できなくなると云う問題もある。
【００１１】
本発明は、斯かる問題に鑑みてなされたものであり、現在の歌唱箇所に加えて他の部分の歌詞も同時に表示できるようにして、次にユーザが歌唱したい箇所を容易に探し出せるようにした歌詞表示装置、カラオケシステム、及びコンピュータプログラムを提供することを目的とする。
【００１２】
また、本発明は、再生箇所を移動したときに、移動した箇所に対応する歌詞をユーザが容易に判別できるようにした歌詞表示装置、カラオケシステム、及びコンピュータプログラムを提供することを目的とする。
さらに、本発明は、現在の歌唱箇所が歌詞全体のどのような部分であるかを一目で分かるようにした歌詞表示装置、カラオケシステム、及びコンピュータプログラムを提供することを目的とする。
【課題を解決するための手段】
【００１３】
上記課題を解決するために第１発明に係る歌詞表示装置は、データを受け付けるデータ受付手段及び該データ受付手段が受け付けた歌詞データに係る歌詞を表示する表示部を備える歌詞表示装置において、前記表示部の一領域に、歌詞の一部のフレーズを表示する処理を行う第１表示処理手段と、前記表示部の他領域に、前記歌詞を表示する処理を行う第２表示処理手段と、前記他領域に表示される歌詞のスクロール指示を受け付ける指示受付手段とを備え、前記第２表示処理手段は、前記指示受付手段が受け付けるスクロール指示に基づき表示する歌詞をスクロールする手段を備えることを特徴とする。
【００１４】
第２発明に係る歌詞表示装置は、前記他領域に表示される歌詞の中から一のフレーズの選択を受け付ける選択受付手段を備え、前記第１表示処理手段は、前記選択受付手段が受け付けた選択に応じた一のフレーズの表示処理を行うようにしてあることを特徴とする。
【００１５】
第３発明に係る歌詞表示装置は、記憶媒体と、前記選択受付手段が受け付けた選択に応じた一のフレーズの歌詞中の箇所を前記記憶媒体に記憶する処理を行う記憶処理手段とを備え、前記第１表示処理手段は、記憶された箇所に係る一のフレーズの表示処理を行うようにしてあることを特徴とする。
第４発明に係る歌詞表示装置は、前記第１表示処理手段は、複数の連続するフレーズを表示する処理を行うようにしてあり、前記選択受付手段が受け付けた選択に応じた一のフレーズを他のフレーズと識別する表示処理を行う手段を備えることを特徴とする。
【００１６】
第５発明に係る歌詞表示装置は、前記データ受付手段は、歌詞データに対応して組み合わされた楽曲データを受け付けるようにしてあり、前記表示部で表示する歌詞の歌詞データに組み合わされた楽曲データを再生する再生手段を備え、前記第１表示処理手段は、前記再生手段が再生する楽曲データの再生箇所に対応する歌詞のフレーズを表示する処理を行うようにしてあることを特徴とする。
【００１７】
第６発明に係る歌詞表示装置は、前記第１表示処理手段は、前記再生手段が楽曲データを再生していない場合、表示処理を停止する手段を備え、前記第２表示処理手段は、前記再生手段が楽曲データを再生していない場合、前記表示部の一領域及び他領域に歌詞を表示する処理を行うようにしてあることを特徴とする。
【００１８】
第７発明に係る歌詞表示装置は、前記再生手段が再生する楽曲データの再生箇所を該楽曲データの全データ範囲に対応付けて示すインジケータを前記表示部に表示する処理を行うインジケータ表示手段を備えることを特徴とする。
第８発明に係る歌詞表示装置は、前記選択受付手段の受付に係る選択対象の変更指示を受け付ける変更指示受付手段を備え、前記インジケータ表示手段は、前記変更指示受付手段が受け付ける変更指示に応じた箇所を全データ範囲に対応付けて示すことを特徴とする。
第９発明に係る歌詞表示装置は、前記歌詞データは付属情報を有し、前記第２表示処理手段は、歌詞及び付属情報を表示する処理を行うようにしてあることを特徴とする。
【００１９】
第１０発明に係るカラオケシステムは、カラオケデータを再生して楽曲音を出力する出力手段及び再生箇所に対応する歌詞のフレーズを表示する表示部を有するカラオケ装置、並びに受け付けた操作に係る指示を該カラオケ装置へ無線で送信する遠隔操作装置を備えるカラオケシステムにおいて、前記遠隔操作装置は、表示パネル部と、曲検索データ及び歌詞データが記憶してある記憶部と、該記憶部に記憶してある曲検索データに基づき再生するカラオケ曲の選択を受け付ける曲受付手段と、該曲受付手段が受け付けたカラオケ曲の歌詞データに係る歌詞を前記表示パネル部に表示する処理を行う表示処理手段と、前記表示パネル部に表示される歌詞のスクロール指示を受け付ける指示受付手段とを備え、前記表示処理手段は、前記指示受付手段が受け付けるスクロール指示に基づき表示する歌詞をスクロールする手段を備えることを特徴とする。
【００２０】
第１１発明に係るカラオケシステムは、前記遠隔操作装置は、前記表示パネル部に表示される歌詞の中から一のフレーズの選択を受け付ける選択受付手段と、該選択受付手段が受け付けた選択に応じた一のフレーズから再生することを指示する再生指示を前記カラオケ装置へ送信する手段とを備え、前記カラオケ装置は、送信されてきた再生指示に係る一のフレーズからカラオケデータを再生する手段を備えることを特徴とする。
【００２１】
第１２発明に係るカラオケシステムは、前記遠隔操作装置は、前記選択受付手段が受け付けた選択に応じた一のフレーズの歌詞中の箇所を前記記憶部に記憶する処理を行う記憶処理手段と、記憶された箇所に応じた一のフレーズから再生することを指示する再生指示を前記カラオケ装置へ送信する手段とを備えることを特徴とする。
第１３発明に係るカラオケシステムは、前記カラオケ装置は、複数の連続するフレーズを前記表示部に表示するようにしてあり、前記選択受付手段が受け付けた選択に応じた一のフレーズを他のフレーズと識別する表示処理を行う手段を備えることを特徴とする。
【００２２】
第１４発明に係るカラオケシステムは、前記カラオケ装置は、カラオケデータの再生箇所を該カラオケデータの全データ範囲に対応付けて示すインジケータを前記表示部に表示する処理を行うインジケータ表示手段を備えることを特徴とする。
第１５発明に係るカラオケシステムは、前記遠隔操作装置は、前記選択受付手段の受付に係る選択対象の変更指示を受け付ける変更指示受付手段と、該変更指示受付手段が受け付けた変更指示を前記カラオケ装置へ送信する手段とを備え、前記カラオケ装置は、送信されてきた変更指示に応じた箇所を全データ範囲に対応付けて示す手段を備えることを特徴とする。
【００２３】
第１６発明に係るカラオケシステムは、前記遠隔操作装置の記憶部で記憶される歌詞データは付属情報を有し、前記遠隔操作装置は、前記表示パネル部に歌詞及び付属情報を表示する処理を行う手段を備えることを特徴とする。
【００２４】
第１７発明に係るコンピュータプログラムは、指示の受付部と、データの記憶部と、表示部とを備えるコンピュータに、該記憶部に記憶させた歌詞データに係る歌詞を前記表示部で表示させるためのコンピュータプログラムにおいて、前記コンピュータを、前記表示部の一領域に歌詞の一部のフレーズを表示する処理を行う手段と、前記表示部の他領域に前記歌詞を表示する処理を行う手段と、前記受付部で受け付けられるスクロール指示に基づいて前記他領域に表示する歌詞をスクロールする手段として機能させることを特徴とする。
【００２５】
第１８発明に係るコンピュータプログラムは、前記コンピュータを、前記受付部で受け付けられる選択指示に応じた前記他領域に表示される歌詞の中の一のフレーズを前記表示部の一領域に表示する処理を行う手段として機能させることを特徴とする。
第１９発明に係るコンピュータプログラムは、前記コンピュータを、前記受付部で受け付けられる選択指示に応じた一のフレーズの歌詞中の箇所を前記記憶部に記憶させる処理を行う記憶処理手段と、前記記憶部に記憶された箇所に係る一のフレーズを前記表示部の一領域に表示する処理を行う手段として機能させることを特徴とする。
【００２６】
第２０発明に係るコンピュータプログラムは、前記コンピュータを、前記表示部の一領域に複数の連続するフレーズを表示する処理を行う手段と、前記受付部で受け付けられる選択指示に応じた一のフレーズを他のフレーズと識別する表示処理を前記表示部の一領域に対して行う手段として機能させることを特徴とする。
【００２７】
第２１発明に係るコンピュータプログラムは、前記記憶部に歌詞データに対応して組み合わされた楽曲データが記憶してあり、前記コンピュータを、前記表示部で表示する歌詞の歌詞データに組み合わされる楽曲データを再生する再生手段と、前記表示部の一領域に前記再生手段が再生する楽曲データの再生箇所に対応する歌詞のフレーズを表示する処理を行う手段として機能させることを特徴とする。
【００２８】
第２２発明に係るコンピュータプログラムは、前記コンピュータを、前記再生手段が再生する楽曲データの再生箇所を該楽曲データの全データ範囲と対応付けて示すインジケータを前記表示部に表示する処理を行う手段として機能させることを特徴とする。
【００２９】
第１発明及び第１７発明にあっては、表示部の一領域に歌詞の一部のフレーズを表示すると共に、表示部の他領域にスクロール可能に歌詞を表示するので、歌詞の一部と他部とを同時に表示できるようになり、ユーザは一領域で表示される歌詞の一部と、他領域で表示される歌詞の他の部分とを適宜比較して、歌詞内容及び曲全体における箇所等を確認できる。そのため、第１発明及び第１７発明をカラオケ曲の再生可能な装置に適用すれば、現在の再生箇所に対応する歌詞部分と他の箇所の歌詞とを同時的に表示するという好適な表示処理を提供できる。
【００３０】
第２発明及び第１８発明にあっては、表示部の他領域に表示される歌詞中の一のフレーズの選択に連動して、一領域に表示するフレーズを切り替えるので、一領域で表示するフレーズを他領域で表示される広い範囲の歌詞の中から直接的にフレーズ単位で選択できるようになり、所望のフレーズを表示される歌詞中より容易に選ぶことができる。
【００３１】
第３発明及び第１９発明にあっては、選択に係る一のフレーズの箇所を記憶すると共に、記憶された箇所に基づき一のフレーズの表示処理を行うので、一旦、選択されたフレーズは次回からは容易に特定できるようになり、繰り返し表示させたいフレーズを迅速に何度でも表示できる。
【００３２】
第４発明及び第２０発明にあっては、一領域に複数の連続するフレーズを表示する場合で、他領域で表示される歌詞の中から所望の一のフレーズが選択されると、一領域で表示される一のフレーズが他のフレーズと識別できるように表示されるので、選択により表示箇所を移動した場合でも、一領域に表示される複数のフレーズの中から選択に係る一のフレーズをユーザは容易に把握できるようになる。なお、識別用の表示処理の具体例としては、選択に係る一のフレーズの背景色を他のフレーズの背景色と相異させる処理、一のフレーズに対応して識別用の印又は文字等を付加する処理などが相当する。
【００３３】
第５発明及び第２１発明にあっては、表示部の一領域には楽曲データの再生箇所に対応する歌詞部分のフレーズを表示するので、カラオケ曲のような楽曲データに対する再生処理に好適な歌詞表示形態を提供できる。即ち、他領域で表示する歌詞の中から所望のフレーズを選択すると、その選択したフレーズから楽曲データの再生が開始されると共に、再生箇所に対応するフレーズが一領域に表示される。よって、ユーザが曲中のサビのフレーズを選択すれば、サビのフレーズから再生及び表示が適宜開始されるので、所望の箇所を反復練習する場合などに好適に利用できる。
【００３４】
第６発明にあっては、楽曲データを再生していない場合は、一領域及び他領域で歌詞を表示するので、広い表示範囲で全歌詞中の部分を多く表示でき、表示される歌詞部分が多くなることでユーザが所望するフレーズを一段と探しやすくなる。
【００３５】
第７発明及び第２２発明にあっては、再生箇所を楽曲データの全データ範囲と対応付けて示すインジケータを表示部に表示するので、ユーザはインジケータを参照すれば現在の再生箇所が曲中のどの位置であるかを一目で把握でき、歌唱中の歌詞番の誤認などを防止できる。
【００３６】
第８発明にあっては、他領域に表示する歌詞中の選択対象を変更する場合、変更先の箇所をインジケータ中に示すので、インジケータを手掛かりにして選択したいフレーズをユーザは容易に探すことができる。例えば、同じ内容の歌詞が相異する曲番中に存在する場合、歌詞のみではユーザが所望する箇所を探しにくいことも想定できるが、インジケータにより曲全体の位置を検討付けて、本当にユーザが探したい箇所を容易に特定できるようになる。
【００３７】
第９発明にあっては、歌詞データが有する付属情報を他領域に表示するので、歌詞以外の内容もユーザに伝達できるようになる。なお、歌詞情報としては、間奏部分を示す情報、息継ぎのブレスを示す情報、フレーズ毎の歌い方の説明情報、及びギターのコード情報等が該当する。
【００３８】
第１０発明にあっては、カラオケ装置へ指示を送信する遠隔操作装置の表示パネル部に歌詞をスクロール可能に表示するので、現在の再生箇所に対応する歌詞はカラオケ装置の表示部で表示される一方、全体的な歌詞は遠隔操作装置の表示パネル部で表示できるようになり、歌唱中でも曲中の他の箇所の歌詞を確認して次に歌唱したい箇所を素早く特定することができる。
【００３９】
第１１発明にあっては、遠隔操作装置の表示パネル部で表示される歌詞より所望の一のフレーズを選択すると、カラオケ装置側では、選択された一のフレーズから再生されると共に一のフレーズが表示されるので、遠隔操作装置側で再生箇所を選択して所望フレーズの歌唱を容易に練習できるようになる。
【００４０】
第１２発明にあっては、遠隔操作装置で歌詞中の選択箇所を記憶して、記憶内容に基づきカラオケ曲に再生を開始するので、一度、遠隔操作装置で選択操作を行えば次回からは、その選択箇所から容易に再生を行うことができ、何度もその箇所を練習したい場合などに好適となる。
【００４１】
第１３発明にあっては、カラオケ装置の表示部に複数の連続するフレーズを表示する場合、遠隔操作装置の表示パネル部で表示される歌詞の中から一のフレーズが選択されると、カラオケ装置側で表示される一のフレーズを他と識別できるように表示処理が行われるので、再生箇所の移動が行われても、ユーザは再生開始箇所に対応するフレーズを容易に把握できる。
【００４２】
第１４発明にあっては、カラオケ装置側の表示部に再生箇所を楽曲データの全データ範囲に対応付けて示すインジケータを表示するので、ユーザはインジケータを参照すれば現在の再生箇所が曲中のどの位置であるかを一目で把握できる。
【００４３】
第１５発明にあっては、前記遠隔操作装置で選択対象を変更する場合、変更箇所を全データ範囲に対応付けて示すので、示された箇所を手掛かりにして選択対象を探すことができ、同様な歌詞部分が多数存在するカラオケ曲でも容易にユーザの所望する箇所を特定できる。
第１６発明にあっては、歌詞データが有する付属情報を遠隔操作装置側の表示パネル部で表示するので、歌詞以外の内容もユーザに伝達できるようになり、カラオケ曲に合わせた歌唱を行うユーザに対する利便性を高められる。
【発明の効果】
【００４４】
第１発明及び第１７発明にあっては、表示部の一領域に歌詞の一部のフレーズを表示すると共に、表示部の他領域にスクロール可能に歌詞を表示するので、ユーザは一領域の表示内容と他領域の表示内容とを比較しながら歌詞内容及び歌詞中の位置などを適宜確認できる。
第２発明及び第１８発明にあっては、表示部の他領域に表示される歌詞中の一のフレーズの選択に連動して、一領域に表示するフレーズを切り替えるので、他領域で表示される歌詞から一領域で表示したいフレーズを容易に選択できる。
【００４５】
第３発明及び第１９発明にあっては、選択に係る一のフレーズの箇所を記憶すると共に、記憶された箇所に応じたフレーズの表示処理を行うので、一旦、選択された箇所は次回からは容易に探し出すことができる。
第４発明及び第２０発明にあっては、表示部の他領域で表示される歌詞の中から所望の一のフレーズが選択されると、一領域で表示される一のフレーズを他と識別できるように表示処理を行うので、表示箇所が移動した場合でも選択に係る一のフレーズをユーザは容易に把握できる。
【００４６】
第５発明及び第２１発明にあっては、表示部の一領域には楽曲データの再生箇所に対応する歌詞部分を表示するので、カラオケ曲のような楽曲データに対する再生処理に対して、一領域には再生箇所に対応するフレーズを表示すると共に、他領域にはスクロール可能に歌詞を広範囲で表示でき、歌唱中でもユーザの所望するフレーズを他領域の表示の中から容易に探し出すことができる。
第６発明にあっては、楽曲データを再生していない場合は、一領域及び他領域で歌詞を表示するので、広い表示範囲で多くの歌詞部分を表示できる。
【００４７】
第７発明及び第２２発明にあっては、再生箇所を楽曲データの全データ範囲と対応付けて示すインジケータを表示部に表示するので、ユーザはインジケータにより現在の再生箇所が曲中のどの位置であるかを一目で把握できる。
第８発明にあっては、他領域に表示する歌詞の選択対象を変更する場合、選択対象の変更箇所を示すので、示された箇所を手掛かりにしてユーザが望む選択対象のフレーズを容易に探し出せる。
【００４８】
第９発明にあっては、歌詞データが有する付属情報を他領域で表示するので、歌詞以外の情報、例えば間奏部分であること、息継ぎを行う位置、及びフレーズ毎の歌い方などをユーザに伝達できる。
【００４９】
第１０発明にあっては、カラオケ装置へ指示を送信する遠隔操作装置の表示パネル部に歌詞をスクロール可能に表示するので、現在の再生箇所に対応する歌詞のフレーズはカラオケ装置の表示部で表示でき、全体的な歌詞は遠隔操作装置の表示パネル部で表示でき、歌唱中でも他のフレーズを表示パネル部で容易に確認できる。
【００５０】
第１１発明にあっては、遠隔操作装置の表示パネル部で表示される歌詞より所望の一のフレーズを選択すると、選択された一のフレーズから連動して再生されるので、ユーザは遠隔操作装置で再生箇所を選択して所望フレーズに対する歌唱練習を容易に行うことができる。
【００５１】
第１２発明にあっては、遠隔操作装置で歌詞中の選択箇所を記憶すると共に、記憶内容に基づき選択された箇所から再生を開始するので、一度、遠隔操作装置で選択操作を行えば次回からは以前に選択した箇所を容易に探し出して再生できる。
【００５２】
第１３発明にあっては、遠隔操作装置の表示パネル部で表示される歌詞の中から所望の一のフレーズが選択されると、カラオケ装置側で表示される複数のフレーズ中の一のフレーズを他のフレーズと識別できるように表示処理が行われるので、一領域中に複数のフレーズがどのような形態で表示されても、再生開始箇所に対応する一のフレーズをユーザは容易に把握できる。
【００５３】
第１４発明にあっては、カラオケ装置側の表示部に再生箇所を楽曲データの全データ範囲と対応付けて示すインジケータを表示するので、ユーザはインジケータを参照すれば現在の再生箇所の曲中における位置を一目で把握できる。
第１５発明にあっては、遠隔操作装置で選択対象の変更を行う場合、変更箇所を全データ範囲に対応付けて示すので、示される箇所を手掛かりにして曲中の位置を把握して容易に選択対象のフレーズを探すことができる。
【００５４】
第１６発明にあっては、歌詞データが有する付属情報を遠隔操作装置側の表示パネル部で表示するので、歌詞以外の様々な情報もユーザに伝達できるようになり、カラオケ曲に合わせた歌唱を行うユーザへの利便性を高められる。
【発明を実施するための最良の形態】
【００５５】
図１は、本発明の第１実施形態に係るカラオケネットワークシステム１を示している。カラオケネットワークシステム１は、カラオケコンテンツ（カラオケデータ等）の配信に係るウェブサイトを開設している中央装置２が、ユーザが有する携帯電話器１０からのアクセスに基づいて所定のカラオケ曲に係るコンテンツを配信し、コンテンツを受信した携帯電話器１０をカラオケ装置として機能させるものである。なお、携帯電話器１０は再生するカラオケ曲の歌詞を表示することに着目すると、歌詞表示装置としても機能することになる。
【００５６】
図２は、中央装置２の内部構成を示しており、中央装置２は各種処理を行う制御部２ａ、通信処理を行う通信部２ｂ、ＲＡＭ２ｃ、ＲＯＭ２ｄ、及び記憶装置２ｅを内部バス２ｆで接続した構成にしている。
【００５７】
制御部２ａは、記憶装置２ｅに記憶されているプログラムＰｒに基づき様々な処理を行っており、例えば、開設しているウェブサイトにアクセスしてきた外部の通信装置（携帯電話器１０等）に図３に示すようなカラオケサイト５のトップページとなるウェブページ画面を閲覧させるための処理、カラオケサイト５のウェブページにおけるユーザの操作に対するカラオケデータの送信処理、及びプレーヤプログラムの送信処理等の制御を行う。
【００５８】
通信部２ｂはネットワーク３に接続されており、アクセスを受け付けた外部の通信装置と中央装置２との間で接続を確率し、制御部２ａに制御に基づきデータ送受を行う。ＲＡＭ２ｃは制御部２ａの処理に係る各種データ、プログラム等を一時的に記憶し、ＲＯＭ２ｄは制御部２ａが行う基本的な処理プログラムを記憶するものである。
【００５９】
記憶装置２ｅは本実施形態では大容量のハードディスク装置が適用されており、制御部２ａの処理内容を規定したプログラムＰｒ、アクセスしてきた外部の通信装置で表示されるウェブページに係るウェブデータＷｄ、カラオケ曲の再生処理等を行うために配信されるプレーヤプログラムＡｐ、及びユーザからの指定に基づき配信される多数のカラオケデータＫｄを記憶している。各カラオケデータＫｄは、対応して組み合わされる楽曲データＧｄ及び歌詞データＶｄで構成されている。
【００６０】
図４（ａ）は、一つのカラオケデータＫｄに係る楽曲データＧｄ及び歌詞データＶｄの概念的な構成を示している。楽曲データＧｄは曲のリズム、並びに演奏及びコーラス的な内容を音声として出力させるためのＭＩＤＩ（Musical Instrument Digital Interface）用の音楽データである。楽曲データＧｄは、カラオケ曲を形成する各フレーズに対応した楽曲フレーズ部Ｇ１〜Ｇｎが時系列的に連続して構成されている。なお、楽曲データＧｄは各楽曲フレーズ部Ｇ１〜Ｇｎに対応した時間データＴ０〜Ｔｎを有しており、時間データＴ０〜Ｔｎは各楽曲フレーズ部Ｇ１〜Ｇｎの境界に係る位置を示し、この位置に基づき楽曲データＧｄ中の楽曲フレーズ部Ｇ１〜Ｇｎの開始箇所を特定できる。
【００６１】
また、歌詞データＶｄは、カラオケ曲の歌詞及び付属情報を表示させるための、文字及び記号等で形成されるデータであり、カラオケ曲を形成する各フレーズに対応した歌詞フレーズ部Ｖ１〜Ｖｎが時系列的に連続して構成されている。なお、歌詞データＶｄも、上述した楽曲データＧｄと同様に、各歌詞フレーズ部Ｖ１〜Ｖｎに対応した時間データＴ０〜Ｔｎを有する。
【００６２】
図４（ｂ）は、歌詞データＶｄの中の一つの歌詞フレーズ部Ｖｘの中身を概念的に示したものであり、歌詞フレーズ部Ｖｘは付属情報に相当する「せつなく」と云う文字と、歌詞中の１フレーズに相当する「それでも君をアイ・ラブ・ユー」と云う文字を有する。なお、付属情報の「せつなく」と云う文字の前後には、「＜１＞」及び「＜／１＞」と云う識別タグが付されており、この識別タグは、配信された外部の通信装置（携帯電話器１０等）での表示処理で用いられる。なお、歌詞データＶｄの中で、間奏部分に相当する歌詞フレーズ部は、該当する歌詞自体が存在しないため「間奏中」と云う文字を有している。
【００６３】
中央装置２は、上述した構成のカラオケデータＫｄを制御部２ａがアクセス先のユーザによる操作に応じて記憶装置２ｅに記憶された複数のカラオケデータＫｄの中から検索して特定し、アクセス先の通信装置へ配信する処理を行う。また、カラオケデータＫｄの配信に先立ち、制御部２ａはプレーヤプログラムＡｐを配信する。プレーヤプログラムＡｐの詳細は後述する。
【００６４】
一方、プレーヤプログラムＡｐ及びカラオケデータＫｄの配信を受けてカラオケ装置として機能することが可能な携帯電話器１０は、図１に示すように、筐体１０ａの上端にネットワーク３の無線中継基地局４ａ〜４ｎと通信を行うためのアンテナ１０ｂを設けており、筐体１０ａの前面上部には表示パネル部１０ｃ、前面中部から下部にかけて操作部１１を設けている。操作部１１は、十字状に配置された上下左右キー１１ａ〜１１ｄと中央の決定キー１１ｅを有する。なお、携帯電話器１０は、操作部１１の下方にマイク部１０ｄを設け、筐体１０ａの裏面にスピーカ１０ｅを配置している。
【００６５】
図５は、携帯電話器１０の内部構成を示し、携帯電話器１０は各種制御処理を行うシステムコントロール部１２、通信部１３、データ等を一時的に記憶するＲＡＭ１４、基本的なプログラムを記憶するＲＯＭ１５、ＭＩＤＩ音源部１６、音声処理部１７、表示処理部１８、記憶部１９、及び操作部１１を内部バス２０で接続した構成にしている。よって、本実施形態の携帯電話器１０は、通話に加えてデータ通信及び各種データ処理も行うため、一種のコンピュータとして機能し、特に中央装置２からカラオケデータＫｄ及びプレーヤプログラムＡｐをダウンロードした場合、ユーザの操作に基づきカラオケ装置として機能する。以下、携帯電話器１０が有する各部１１、１２、１３等を説明する。
【００６６】
操作部１１は、各キー１１ａ〜１１ｅがユーザにより押し下げ操作を受け付けると各キー１１ａ〜１１ｅが押し下げられたことを伝える操作信号をシステムコントロール部１２へ伝送する。なお、各キー１１ａ〜１１ｅは、選択対象の移動及び決定等に対する操作指示を受け付けることが割り当てられており、ユーザから各種指示及び選択等を受け付ける受付手段として機能する。
【００６７】
通信部１３はアンテナ１０ｂと接続されており、システムコントロール部１２の制御に基づき通信処理を行い、本実施形態では中央装置２から配信されるカラオケデータＫｄ及びプレーヤプログラムＡｐを受け付けるデータ受付手段として機能する。
【００６８】
ＭＩＤＩ音源部１６は、カラオケデータＫｄの楽曲データＧｄの再生手段に相当し、システムコントロール部１２の制御に基づき楽曲データＧｄの再生処理を行い、再生音を音声処理部１７へ伝送する。音声処理部１７は、マイク１０ｄ及びスピーカ１０ｅと接続されており、マイク１０ｄで取得した音声を取り込む処理を行うと共に、所要の音をスピーカ１０ｅから出力する処理を行う。なお、音声処理部１７がスピーカ１０ｅから出力する音には、上述したＭＩＤＩ音源部１６の再生音がある。
【００６９】
表示処理部１８は、表示パネル部（表示部に相当）１０ｃと接続されており、システムコントロール部１２の制御に基づき表示パネル部１０ｃに各種内容を表示する処理を行う表示処理手段として機能する。
【００７０】
具体的には図７（ａ）に示すように、表示処理部１８は、表示パネル１０ｃの上部の規定表示範囲ｈａを除いた表示範囲Ｈの中の上領域ｈ１（他領域に相当）に歌詞データＶｄの歌詞をスクロール可能に表示する処理を行い、表示範囲Ｈの中の下領域ｈ２（一領域に相当）に、カラオケデータＫｄの再生箇所に応じた２つのフレーズＰ１、Ｐ２を上下に表示する処理を行う。なお、図７（ａ）（後述の図９も同様）では、各領域ｈ１、ｈ２の表示内容を明確にするため、表示パネル部１０ｃの縦方向の寸法を図６（ａ）（ｂ）に示す場合に比べて長くしているが、実際は、表示パネル部１０ｃの縦方向の寸法は各図で同一であり、表示パネル部１０ｃに係る解像度に応じて各領域ｈ１、ｈ２に所定数のフレーズＰ１、Ｐ２、Ｐ１０等が表示されるものとする。
【００７１】
また、表示処理部１８は、システムコントロール部１２から送られてくるカラオケデータＫｄの情報及び再生状態に基づき、上領域ｈ１の上端に水平バー・グラフ状のインジケータ２５を生成して表示する処理、及び選択対象のフレーズＰ１２等に対応する三角形状のカーソルポイント２７を生成して表示する処理も行っている。なお、表示処理部１８は、図６（ａ）（ｂ）に示すメニュー２１、２２の表示処理も行う。
【００７２】
図７（ｂ）は、表示処理部１８により生成されるインジケータ２５の詳細を示している。インジケータ２５は再生箇所及び表示する歌詞の指示箇所等を示すものであり、インジケータ２５の長手方向の寸法は、再生されるカラオケデータＫｄ（楽曲データＧｄと同等）の全データ範囲に相当し、カラオケデータＫｄの全データ範囲が所要の７個のブロック２５ａ〜２５ｇで分割表示されると共に、現在の再生箇所を含むブロック２５ａ〜２５ｇを指示するための三角形状の指示ポイント２６も生成表示される。なお、指示ポイント２６の表示位置は、カラオケデータＫｄの再生に従い、図中の右方向へ移動する（図８（ａ）（ｂ）参照）。そのため、ユーザは、指示ポイント２６が指示する箇所を参照すれば、現在の再生箇所は曲中において、どの程度の位置であるかを一目で把握できる。
【００７３】
また、表示処理部１８は、インジケータ２５中で、上領域ｈ１で表示された歌詞の各フレーズＰ１０〜Ｐ１４の中でカーソルポイント２７により指示されるフレーズＰ１２を含むブロック２５ｃを他のブロックと相異する表示形態（図では右上がりハッチング）で表示する処理も行う。よって、ユーザは、インジケータ２５中の右上がりハッチングのブロック２５ｃを参照することで、現在のカーソルポイント２７が指示しているフレーズＰ１２の曲中における箇所を認識することができる。
【００７４】
さらに、表示処理部１８は、カラオケデータＫｄの間奏部分に相当するブロック２５ｄを他と相異する表示形態（図ではクロスハッチング）で表示する処理を行う。また、インジケータ２５は左端に「Ｓｔａｒｔ」、右端に「Ｅｎｄ」と云う文字が付加され、インジケータ２５の各ブロック２５ａ〜２５ｇの位置関係に誤解が生じないようにしている。なお、図７（ｂ）では、インジケータ２５を７つのブロック２５ａ〜２５ｇで構成しているが、再生するカラオケデータＫｄの長さ、間奏の数等に応じて表示処理部１８はブロック数を適宜増減して表示する。
【００７５】
また、表示処理部１８は、上領域ｈ１に表示する歌詞の各フレーズＰ１０〜Ｐ１４に対し、操作部１１の上キー１１ａ又は下キー１１ｂの押し下げ操作に応じてカーソルポイント２７を上昇又は下降させて、カーソルポイント２７が指示するフレーズＰ１０〜Ｐ１４を変更する処理を行い、カーソルポイント２７の指示に係るフレーズＰ１０〜Ｐ１４を太字で表示する処理を行う。さらに、カーソルポイント２７が最上位のフレーズＰ１０又は最下位のフレーズＰ１４を指示する場合で、上キー１１ａ又は下キー１１ｂの押し下げ操作が行われると、表示処理部１８は歌詞を上方向又は下方向にスクロールする処理を行う。このような表示処理部１８のスクロール処理により、歌詞の全体を表示できる。
【００７６】
さらに、表示処理部１８は、カラオケデータＫｄの再生処理が停止されている場合、下領域ｈ２でのフレーズの表示処理を停止し、上領域ｈ１及び下領域ｈ２で構成される表示範囲Ｈに連続して歌詞を表示する処理を行う（図９参照）。この場合は、歌詞の表示領域が広がるので、図７（ａ）に示す場合に比べて一度に多くのフレーズＰ１０〜Ｐ１６を表示でき、スクロール処理に係るユーザの操作負担を低減できる。なお、図９に示すように、再生停止中は、インジケータ２５の指示ポイント２６の表示も停止される。
【００７７】
さらにまた、表示処理部１８は、図４（ｂ）で説明した付属情報の表示と非表示とを切り替える処理も行う。付属情報の表示と非表示との切替は、プレーヤプログラムＡＰを起動して図６（ｂ）の歌詞表示選択メニュー２２を表示パネル部１０ｃに表示させ、この歌詞表示選択メニュー２２で「通常表示」の欄２２ａがユーザにより選択されると付属情報は非表示になり、「付属情報表示」の欄２２ｂが選択されると付属情報は表示される。
【００７８】
図７（ａ）は、上領域ｈ１の歌詞中に「（さりげなく）」と云う付属情報ｆ１及び「（せつなく）」と云う付属情報ｆ２が表示されたものである。このように付属情報ｆ１、ｆ２の表示は、ユーザへの歌唱時に対する教示として有用になる。また、図９は付属情報の非表示状態であり、表示範囲Ｈには歌詞のフレーズＰ１０〜Ｐ１６のみが表示され、シンプルな表示を好むユーザに好適な表示となる。
【００７９】
また、表示処理部１８は、図７（ａ）に示すように、下領域ｈ２に現在の再生箇所（歌唱箇所）に該当するフレーズＰ１と、このフレーズＰ１の次に連続するフレーズＰ２を表示する処理を行う。歌詞中の２つのフレーズＰ１、Ｐ２等を表示する部分は、図４（ａ）に示す歌詞データＶｄの時系列に連続するデータ構造の関係から予め特定されており、下領域ｈ２の上部分ｈ２１には奇数番目のフレーズＰ１、Ｐ３・・・が表示され、下領域ｈ２の下部分ｈ２２には偶数番目のフレーズＰ２、Ｐ４・・・が表示される。なお、表示処理部１８は、再生箇所の進行に合わせて表示するフレーズＰ１、Ｐ２等の文字を未再生部分と相異する形態で表示し、現在の歌唱箇所を明確にしている。
【００８０】
さらに、表示処理部１８は、後述する再生箇所の選択処理、メモリ再生などにより曲の途中から再生を行う場合、その再生開始箇所に相当するフレーズＰ１、Ｐ２等を下領域ｈ２に表示するが、再生開始直後の一つのフレーズＰ１、Ｐ２等を他と識別するための印を表示する処理も行う。
【００８１】
図８（ａ）は曲途中の偶数番目のフレーズＰ１２から再生が開始される場合の下領域ｈ２の表示状態を示しており、下領域ｈ２の下部分ｈ２２には再生開始直後のフレーズＰ１２が表示され、上部分ｈ２１には次に再生されるフレーズＰ１３が表示される。この場合、表示処理部１８は、再生開始直後のフレーズＰ１２の冒頭に「＜Ｓ＞」と云う識別用の印２８を表示する処理を行う。この識別用の印２８の付加表示によりユーザが、２つのフレーズＰ１２、Ｐ１３が上下逆に表示されても、いずれのフレーズを参照して歌唱すればよいかを容易に把握できる。
【００８２】
なお、図８（ｂ）は曲途中の奇数番目のフレーズＰ１３から再生が開始される場合の下領域ｈ２の表示状態を示しており、下領域ｈ２の上部分ｈ２１には再生開始直後のフレーズＰ１３が表示され、下部分ｈ２２には次に再生されるフレーズＰ１４が表示され、さらに再生開始直後となるフレーズＰ１３の冒頭には識別用の印２８が表示される。
【００８３】
図５に戻り、携帯電話器１０の各部の説明を続けると、記憶部１９は、本実施形態では半導体メモリ又は小型のハードディスク装置が適用されており、中央装置２からダウンロードしたカラオケデータＫｄ及びプレーヤプログラムＡｐを記憶する一方、携帯電話器１０が有する機能を発揮するためにシステムコントロール部１２の処理内容を規定した制御プログラムＳｐを予め記憶している。
【００８４】
プレーヤプログラムＡｐは、携帯電話器１０をカラオケ装置として機能させるために、携帯電話器１０の内部処理的な内容として、システムコントロール部１２が行う処理内容を規定したものである。り、具体的にプレーヤプログラムＡｐは、図６（ａ）（ｂ）に示すような再生及び設定のための各種メニューを表示パネル部１０ｃに表示させるための処理、図７〜９等に係る歌詞を表示パネル部１０ｃに表示させるための処理、及びカラオケ曲の再生に係る制御処理などを定めている。
【００８５】
メニュー表示処理に関しては、例えば、プレーヤプログラムＡｐが起動して操作部１１の図示しない操作キーが押し下げられたことをシステムコントロール部１２が認識すると、図６（ａ）の再生方法選択メニュー２１及び図６（ｂ）の歌詞表示選択メニュー２２等のメニューを表示させるための制御指示をシステムコントロール部１２がプレーヤプログラムＡｐの規定内容に従い表示処理部１８へ伝送する処理を行う。
【００８６】
また、図６（ａ）の再生方法選択メニュー２１で、「通常再生」の欄２１ａが操作部１１の決定キー１１ｅにより押し下げられたことをシステムコントロール部１２が認識すると、プレーヤプログラムＡｐの規定内容に従いシステムコントロール部１２が記憶部１９からカラオケデータＫｄを随時読み出し、楽曲データＧｄを再生させる指示をＭＩＤＩ音源部１６へ出力すると共に、再生と同時に歌詞データＶｄに係る歌詞を楽曲データＧｄの再生時間に合わせて表示パネル部１０ｃで表示させる指示を表示処理部１８へ出力する処理を行う。この再生処理の際、システムコントロール部１２は、図４（ａ）に示す歌詞データＶｄの各歌詞フレーズ部Ｖ１〜Ｖｎの数、間奏の箇所等の情報も表示処理部１８へ出力する。なお、表示処理部１８は、このような歌詞データＶｄの情報を受けて、表示するインジケータ２５の生成を行う。
【００８７】
さらに、図６（ａ）の再生方法選択メニュー２１で、「メモリ再生」の欄２１ｂが操作部１１の決定キー１１ｅにより押し下げられたことをシステムコントロール部１２が認識すると、プレーヤプログラムＡｐの規定内容に従いシステムコントロール部１２は、後述するメモリ処理により記憶部１９に記憶されたカラオケデータＫｄの位置を示す時間データＴ０〜Ｔｎより再生を開始する指示をＭＩＤＩ音源部１６及び表示処理部１８へ出力する処理を行う。
【００８８】
なお、ＭＩＤＩ音源部１６及び表示処理部１８は、曲中の位置を示す時間データＴ０〜Ｔｎを受けると、時間データＴ０〜Ｔｎが対応するフレーズ箇所より再生及び表示処理を開始し、特に表示処理部１８は、図８（ａ）（ｂ）に示すように再生開始直後となるフレーズＰ１２、Ｐ１３に識別用の印２８を付加する処理を行うことになる。
【００８９】
また、図６（ｂ）の歌詞表示選択メニュー２２で、「通常表示」の欄２２ａが操作部１１の決定キー１１ｅにより押し下げられたことをシステムコントロール部１２が認識すると、プレーヤプログラムＡｐの規定内容に従いシステムコントロール部１２は、表示処理部１８へ歌詞データＶｄ及び「＜／１＞」の識別タグに係る信号を出力する処理を行う。表示処理部１８は、「＜／１＞」の識別タグに係る信号を受けると付属情報を非表示にする処理を行い、図９に示すような表示を行う。
【００９０】
さらに、図６（ｂ）の歌詞表示選択メニュー２２で、「付属情報表示」の欄２２ｂが決定キー１１ｅで押し下げられたことをシステムコントロール部１２が認識すると、表示処理部１８へ歌詞データＶｄ及び「＜１＞」の識別タグに係る信号を出力する処理を行い、表示処理部１８は、図７（ａ）に示すように付属情報ｆ１、ｆ２の表示を行う。
【００９１】
また、プレーヤプログラムＡｐは、一旦起動すると、操作部１１の上下キー１１ａ、１１ｂをカーソルポイント２７の位置を変更させる移動指示及びスクロール指示の受付手段として機能させ、以下、左キー１１ｃを再生指示とメモリ指示との受付手段、右キー１１ｄを再生停止指示の受付手段、決定キー１１ｅをカーソルポイント２７が指示するフレーズの選択を受け付ける選択受付手段として機能させる。
【００９２】
そのため、上キー１１ａ又は下キー１１ｂが押し下げられたことをシステムコントロール部１２が認識すると、プレーヤプログラムＡｐの規定内容に従いシステムコントロール部１２は、カーソルポイント２７を上又は下に移動させて表示する指示を表示処理部１８へ出力する処理を行う。また、カーソルポイント２７が最上位のフレーズＰ１０又は最下位のフレーズＰ１４を指示する場合で、上キー１１ａ又は下キー１１ｂの押し下げをシステムコントロール部１２が認識すると、システムコントロール部１２は、表示する歌詞を上又は下にスクロールさせる指示を表示処理部１８へ出力する処理を行う。
【００９３】
表示処理部１８は、上述したカーソルポイント２７の移動に係る指示を受けると、カーソルポイント２７を指示に応じた位置で表示する処理を行うと共に、インジケータ２５の右上がりハッチングの表示形態を指示に応じたブロック２５ａ〜２５ｇのいずれかに表示する処理を行う。
【００９４】
また、図７（ａ）に示すようにカーソルポイント２７がフレーズＰ１２を指示した状態で、決定キー１１ｅが押し下げられたことをシステムコントロール部１２が認識すると、プレーヤプログラムＡｐの規定内容に従いシステムコントロール部１２は、フレーズＰ１２に対応する箇所（フレーズＰ１２に対応する時間データＴｘが規定する箇所）よりカラオケデータＫｄの再生を開始するように、ＭＩＤＩ音源部１６及び表示処理部１８へ時間データＴｘからの再生指示を出力する処理を行う。なお、時間データＴｘは時間データＴ０〜Ｔｎの中の任意の一つを意味する。
【００９５】
この再生指示を受けて、ＭＩＤＩ音源部１６は、時間データＴｘが規定する箇所から楽曲データＧｄの再生処理を行う。また、表示処理部１８は、図８（ａ）に示すように、時間データＴｘに対応するフレーズＰ１２及び次に続くフレーズＰ１３と識別用の印２８とを下領域ｈ２に表示する処理を行うと共に、インジケータ２５の再生開始箇所に対応するブロック２５ａ〜２５ｇのいずれかを指示するように指示ポイント２６を表示する処理を行う。
【００９６】
さらに、上述したように決定キー１１ｅが押し下げられた後に、左キー１１ｃが押し下げられたことをシステムコントロール部１２が認識すると、プレーヤプログラムＡｐの規定内容に従いシステムコントロール部１２は、時間データＴｘを記憶部１９に記憶する処理（メモリ処理）を行う。このようにメモリ処理が行われた後、上述した図６（ａ）の再生方法選択メニュー２１で「メモリ再生」の欄２１ｂが選択されると、時間データＴｘに応じた箇所からカラオケデータＫｄが再生される処理が行われる。
【００９７】
なお、決定キー１１ｅとの押し下げに関係なく、単に左キー１１ｃが押し下げられたことをシステムコントロール部１２が認識すると、プレーヤプログラムＡｐの規定内容に従いシステムコントロール部１２は、カラオケデータＫｄの最初から再生を開始するように、ＭＩＤＩ音源部１６及び表示処理部１８へ再生指示を出力する処理を行う。
【００９８】
さらにまた、右キー１１ｄが押し下げられたことをシステムコントロール部１２が認識すると、プレーヤプログラムＡｐの規定内容に従いシステムコントロール部１２は、ＭＩＤＩ音源部１６及び表示処理部１８へ再生の停止指示を出力する処理を行う。この停止指示を受けて、ＭＩＤＩ音源部１６は楽曲データＧｄの再生停止処理を行い、表示処理部１８は、下領域ｈ２での再生箇所に対応するフレーズ表示処理を停止すると共に表示範囲Ｈで歌詞を表示する処理を行う（図９参照）。なお、プレーヤプログラムＡｐは、起動してから各キー１１ａ〜１１ｅが押し下げられない場合、図９に示すように表示範囲Ｈに歌詞を表示させるようにしている。
【００９９】
図１０は、上述したプレーヤプログラムＡｐの規定に基づきシステムコントロール部１２が各種制御処理を行うことで、携帯電話器１０がカラオケ装置として機能する場合の一連の処理手順を示したフローチャートである。
以下、このフローチャートに従い、上述した携帯電話器１０のカラオケ装置としての処理手順を説明する。なお、このフローチャートは、既にプレーヤプログラムＡｐ及び再生対象のカラオケデータＫｄは携帯電話器１０にダウンロードされて記憶されていると共に、プレーヤプログラムＡｐが起動していることを前提とする。
【０１００】
先ず、左キー１１ｃの押し下げ、若しくは図６（ａ）の再生方法選択メニュー２１で「通常再生」の欄２１ａ又は「メモリ再生」の欄２１ｂの選択によりユーザからの再生指示があるか無いかをシステムコントロール部１２が判断する（Ｓ１）。再生指示が無い場合（Ｓ１：ＮＯ）、携帯電話器１０は図９に示すように表示範囲Ｈに歌詞を表示し（Ｓ３）、再生指示の有無の判断段階（Ｓ１）へ戻り、再生指示を待つ状態となる。また、再生指示がある場合（Ｓ１：ＹＥＳ）、携帯電話器１０は図７（ａ）に示すように下領域ｈ２に再生箇所のフレーズＰ１、Ｐ２を表示すると共に上領域ｈ１に歌詞を表示する（Ｓ２）。
【０１０１】
次に、上キー１１ａ、下キー１１ｂの押し下げによるスクロール指示があるか無いかをシステムコントロール部１２が判断し（Ｓ４）、スクロール指示がある場合（Ｓ４：ＹＥＳ）、携帯電話器１０は上領域ｈ１に表示する歌詞をスクロールする（Ｓ５）。スクロール指示が無い場合は（Ｓ４：ＮＯ）、スクロール処理（Ｓ５）の後へ移動して、決定キー１１ｅの押し下げによる所望のフレーズの選択指示があるか無いかをシステムコントロール部１２が判断する（Ｓ６）。
【０１０２】
選択指示がある場合（Ｓ６：ＹＥＳ）、携帯電話器１０は選択された箇所（フレーズ）から再生を行うと共に図８（ａ）（ｂ）に示すように下領域ｈ２に選択箇所のフレーズを表示する処理を行う（Ｓ７）。また、選択指示が無い場合は（Ｓ６：ＮＯ）、選択箇所の再生及び表示処理（Ｓ７）の後へ移動し、カラオケデータＫｄの再生が終了したか否かをシステムコントロール部１２が判断する（Ｓ８）。再生が終了していない場合（Ｓ８：ＮＯ）、再生箇所のフレーズ及び歌詞表示の段階（Ｓ２）へ戻り、一方、再生が終了した場合（Ｓ８：ＹＥＳ）、処理を終了する。
【０１０３】
このように、第１実施形態に係るプレーヤプログラムＡｐに基づく処理を行う携帯電話器１０では、図７（ａ）に示す表示により、ユーザは現在の歌唱箇所に応じたフレーズと、全体的な歌詞とを一度に確認でき、また、上領域ｈ１に表示されるフレーズを選択する操作を行えば、所望の箇所からカラオケデータＫｄの再生を行うことができ、所望箇所からの歌唱練習に好適となる。また、選択と同時にメモリ操作を行えば、容易に所望箇所から再生できるので、反復して歌唱の練習を行う場合などに活用できる。
【０１０４】
なお、第１実施形態に係るプレーヤプログラムＡｐ及び携帯電話器１０の処理内容は上述した形態に限定されるものではなく、種々の変形例が存在する。例えば、再生箇所を選択して移動させた場合、再生開始箇所のフレーズを他のフレーズと識別できるようにするため、図８（ａ）（ｂ）に示すように識別用の印２８を付加する以外に、下領域ｈ２の再生開始側のフレーズに相当する上部分ｈ２１又は下部分ｈ２１の背景範囲の色を変更すること、又は文字の形態を変更することも可能である。
【０１０５】
また、付属情報としては息継ぎの箇所、ギターコード等を含めるようにしてもよく、さらには付属情報が不要な時は、歌詞データＶｄから付属情報を削除すると共に、付属情報に係る処理部分を削除してもよい。このようにすることで、歌詞データＶｄを特別なものではなく、従来と同様のデータを使用できるようになり、現存するカラオケコンテンツのデータを第１実施形態に係るプレーヤプログラムＡｐをインストールした携帯電話器１０へも流用してコンテンツの有効利用を図れる。
【０１０６】
さらに、ユーザからの各種指示を受け付けるのは操作部１１の各キー１１ａ〜１１ｅ以外に、他の操作キー、ボタン、スイッチ等で受け付けるようにすることも可能であり、タッチパネル式の表示パネル部１０ｃを有する機器では、表示パネル部１０ｃに設けられるソフトキー部分でユーザから指示を受け付けるようにしてもよい。
【０１０７】
さらにまた、携帯電話器１０に半導体メモリのような着脱式の記憶媒体のスロットを設けた場合は、着脱式の記録媒体にカラオケデータＫｄ及びプレーヤプログラムＡｐを記憶させて、この着脱式の記録媒体を介して携帯電話器１０がカラオケデータＫｄ及びプレーヤプログラムＡｐを取得する（受け付ける）ようにしてもよい。なお、第１実施形態のプレーヤプログラムＡＰを、ＰＤＡ（Personal Digital Assistant）又はパーソナルコンピュータ等の情報処理装置にインストールして、これらの情報処理装置を第１実施形態に係るカラオケ装置として機能させることも可能である。
【０１０８】
また、第１実施形態に係るプレーヤプログラムＡｐをインストールした携帯電話器１０の処理及び構成等は、図１１（ａ）に示す専用のカラオケシステム３０に適用することも可能である。
【０１０９】
カラオケシステム３０は、再生されるカラオケ曲に係る歌詞及び画像を表示するモニタ装置３２、カラオケ曲の再生音及びユーザの歌唱音を出力するスピーカ３３、並びにユーザの歌唱音を集音するマイク３４が接続されたカラオケ装置３１と、このカラオケ装置３１に再生指示などを無線で送信するリモートコントロール装置（遠隔操作装置に相当。以下、リモコン装置と称す）４０とを備える。カラオケ装置３１のモニタ装置３２は、横長の表示面３２ａを有しており、また、リモコン装置４０も横長の表示パネル面４０ａを有する。
【０１１０】
カラオケ装置３１に上述した携帯電話器１０のような構成（図５参照）を適用して、カラオケデータＫｄ及びプレーヤプログラムＡｐを記憶させ、プレーヤプログラムＡｐの表示に係る処理構成を横長の表示面３２ａに適した構成に変更することで、図１１（ｂ）に示す歌詞の表示形態を実現することが可能になる。
【０１１１】
図１１（ｂ）では、表示面３２ａの表示範囲Ｒは左領域ｒ１と右領域ｒ２とに分かれている。左領域ｒ１は、上述した携帯電話器１０の表示パネル部１０ｃの上領域ｈ１に相当し、再生されるカラオケデータＫｄの歌詞を構成するフレーズＰ１０〜Ｐ１４がスクロール可能に表示されると共に、カーソルポイント３７も表示される。また、右領域ｒ１は、上述した携帯電話器１０の表示パネル部１０ｃの下領域ｈ１に相当し、カラオケデータＫｄの再生箇所に対応するフレーズＰ１及び次のフレーズＰ２が上下部分ｒ２１、ｒ２２に表示される。
【０１１２】
さらに、表示面３２ａの上部には、左領域ｒ１及び右領域ｒ２にまたがってインジケータ３５が表示され、インジケータ３５を構成する各ブロックの中の再生箇所に対応するブロックを指示する指示ポイント３６を表示する。このようにスクロール可能な歌詞と再生箇所に対応した歌詞部分を横に並べて表示した場合も、ユーザは歌唱箇所に応じたフレーズと、全体的な歌詞とを一度に確認でき、左領域ｒ１に表示されるフレーズを選択する操作を行えば、所望の箇所からカラオケデータＫｄの再生を行うことができる。
【０１１３】
なお、カラオケ装置３１の内部構成は、図５の携帯電話器１０と比較するとマイク１０ｄ、スピーカ１０ｅ及び表示パネル部１０ｃが外付けのマイク３４、スピーカ３３、及びモニタ装置３２に置き換わると共に、通信部１３が有線用の通信手段に変更されることになる（詳細は、図１３参照）。
【０１１４】
さらにまた、リモコン装置４０に上述した携帯電話器１０のような構成（図５参照）を適用して、カラオケデータＫｄの歌詞データＶｄ及びプレーヤプログラムＡｐの表示処理に係る部分を記憶させ、プレーヤプログラムＡｐの表示に係る処理構成を横長の表示パネル面４０ａに適した構成に変更することで、図１１（ｂ）に示すような表示形態をリモコン装置４０にも適用可能になる。リモコン装置４０は、図５に示す携帯電話器１０からＭＩＤＩ音源部１６及び音声処理部１７のような楽曲データＧｄの再生に係る処理部が省略された構成となり（詳細は、図１４参照）、上述したカラオケ装置３１と同様に、スクロール可能な歌詞及び再生箇所の歌詞部分を横並びで表示できるようになる。
【０１１５】
図１２（ａ）（ｂ）は、本発明の第２実施形態に係るカラオケシステムにおける歌詞の表示形態を示している。第２実施形態のカラオケシステムは、図１１（ａ）に示すモニタ装置３２、スピーカ３３、及びマイク３４が接続されたカラオケ装置３１、並びにリモコン装置４０を備えるカラオケシステム３０と同様な構成であるため、以下、図１１（ａ）に示すカラオケシステム３０と同等の符号を用いて説明する。
【０１１６】
第２実施形態のカラオケシステム３０は、カラオケ装置３１側のモニタ装置３２の表示面３２ａで図１２（ａ）に示す現在の再生箇所に対応する歌詞（フレーズＰ１、Ｐ２）を表示する一方、リモコン装置４０の表示パネル部４０ａで図１２（ｂ）に示す再生対象のカラオケ曲の歌詞（フレーズＰ１０〜Ｐ１４）をスクロール可能に表示することを特徴としている。表示面３２ａで表示する内容は、図７（ａ）に示す第１実施形態における下領域ｈ２に係る表示内容が含み、表示パネル部４０ａで表示する内容は第１実施形態における上領域ｈ１に係るインジケータ２５を除いた歌詞部分が相当する。
【０１１７】
図１３は、カラオケ装置３１の主要な内部構成を示している。カラオケ装置３１は、各種制御処理を行うカラオケ制御部３１ａを有しており、このカラオケ制御部３１ａに通信部３１ｂ、ＲＡＭ３１ｃ、ＲＯＭ３１ｄ、記憶装置３１ｅ、モニタコントローラ３１ｆ、インタフェース部３１ｇ、シンセサイザ部３１ｈ、及び受光部３１ｉを内部バスで接続した構成にしている。
【０１１８】
通信部３１ｂは図示しないネットワークに接続されており、ネットワークを経由してカラオケデータＫｄの配信を行う装置（図示せず）にアクセスし、カラオケデータを受信するものである。ＲＡＭ３１ｃはカラオケ制御部３１ａが行う処理に係るデータ等を一時的に記憶し、ＲＯＭ３１ｄはカラオケ制御部３１ａが行う基本的な処理を規定したプログラムを記憶する。記憶装置３１ｅはカラオケ制御部３１ａの処理内容を規定したカラオケ用プログラムＹｐを記憶すると共に、通信部３１ｂが受信したカラオケデータＫｄ及び各種データの記憶も行う。
【０１１９】
なお、第２実施形態では、図１２（ａ）に示すように、再生箇所に応じた歌詞に合わせて画像Ｚ１も表示されるので、第２実施形態で用いられるカラオケデータＫｄは歌詞データＶｄに画像データＺｄが組み合わされているが、基本的なデータ構成は第１実施形態に係る図４（ａ）に示す内容と同等である。
【０１２０】
モニタコントローラ３１ｆはモニタ装置３２と接続されており、カラオケデータＫｄの再生に伴い歌詞データＶｄ及び画像データＺｄに係る歌詞及び画像（図１２（ａ）参照）をモニタ装置３２で表示する処理を行う。インタフェース部３１ｇはユーザからの操作指示を直接的に受け付ける操作部３１ｊと接続されており、操作部３１ｊで受け付けるカラオケ曲の検索指示及び再生指示等をカラオケ制御部３１ａへ伝える処理を行う。
【０１２１】
シンセサイザ部３１ｈはカラオケデータＫｄの楽曲データＧｄをカラオケ制御部３１ａからの指示に基づき再生する処理を行う。また、シンセサイザ部３１ｈはアンプミキサ部３１ｋと接続されており、再生した楽曲音をアンプミキサ部６ｎを通じてスピーカ８から出力する。なお、アンプミキサ部６ｎはマイク７と接続されており、マイク７からの入力音を増幅してスピーカ８から出力する処理も行う。
【０１２２】
受光部３１ｉは、リモコン装置４０から送られる信号を赤外光として受光するものであり、受光した指示信号をカラオケ制御部３１ａへ伝える処理を行う。なお、受光部３１ｉが受光するリモコン装置４０からの信号（指示）としては、カラオケ曲の選択信号、カラオケ曲を最初から再生させる信号、カラオケ曲の再生開始箇所を指示する信号、歌詞中の一部を指示する信号等がある。
【０１２３】
カラオケ制御部３１ａは操作部３１ｊ又は受光部３１ｉで受け付けるユーザからの各種指示に基づいて、記憶装置３１ｅに記憶されるカラオケ用プログラムＹｐが規定する処理を適宜行う。例えば、カラオケ曲の選択信号を受けると、そのカラオケ曲のカラオケデータＫｄを通信部３１ｂにより取得して記憶装置３１ｅへ記憶させる処理を行い、また、カラオケデータＫｄの再生指示を受け付けると、カラオケ制御部３１ａは、再生するカラオケデータＫｄ中の楽曲データＧｄをシンセサイザ部３１ｈで再生させる制御処理を行うと共に、歌詞データＶｄ及び画像データＺｄをモニタコントローラ３１ｆで再生表示させる制御処理を行う。
【０１２４】
さらに、カラオケ制御部３１ａは、カラオケデータＫｄの再生の際、第１実施形態と同様に、再生する歌詞データＶｄの情報を読み取って、カラオケデータＫｄの全データ範囲に係るインジケータ３５を指示ポイント３６と共に生成する指示制御をモニタコントローラ３１ｆに対して行う。モニタコントローラ３１ｆは、上述したカラオケ制御部３１ａの制御に基づき図１２（ａ）に示すような内容をモニタ装置３２の表示面３２ａに表示する処理を行う。
【０１２５】
さらに、カラオケ制御部３１ａは、ユーザが所望する箇所からの再生開始指示を受けると、指示に対応する箇所からカラオケデータＫｄを再生する制御処理を行うが、表示に係る処理に対しては、第１実施形態と同様に再生開始直後のフレーズを識別できるように図１５に示すように識別用の印３８を再生直後のフレーズＰ１２の冒頭に付加する処理をモニタコントローラ３１ｆに行わせる処理を行う。
【０１２６】
なお、図１５に示すようにモニタ装置３２の表示面３２ａの上部には再生箇所に対応して指示ポイント３６が表示されると共に、中央箇所には再生箇所に対応した画像Ｚ１０が表示され、さらには最下段のフレーズＰ１２に連続するフレーズＰ１３も表示される。また、カラオケ制御部３１ａは、後述するリモコン装置４０で表示される歌詞のフレーズの指示箇所を変更する指示を受けると、その指示に応じた箇所に対応するインジケータ３５中のブロックを右上がりハッチングの表示形態にする処理をモニタコントローラ３１ｆに行わせる。
【０１２７】
一方、図１４は、リモコン装置４０の主要な内部構成を示している。リモコン装置４０は、カラオケ装置３１で再生するカラオケ曲の検索機能を有すると共に、再生を決定したカラオケ曲の歌詞をスクロール可能に表示パネル部４０ａで表示することが特徴である。
【０１２８】
リモコン装置４１は、装置全体に対する各種制御処理を行うリモコン制御部４１を有しており、リモコン制御部４１に通信発光部４２、ＲＡＭ４３、ＲＯＭ４４、記憶部４５、表示処理インタフェース部４６、インタフェース部４７を内部バスで接続した構成にしている。また、表示処理インタフェース部４６には表示パネル部４０ａが接続されると共に、インタフェース部４７にはユーザからの各種指示を受け付ける操作部４８が接続されている。なお、操作部４８は、図示していないが、第１実施形態の携帯電話器１０における各キー１１ａ〜１１ｅと同等の役割を担うボタンを有すると共に、カラオケ曲の検索及び選択に係る指示を受け付けるボタン等も有している。
【０１２９】
通信発光部４２は、操作部４８が受け付けたユーザからの指示に基づきリモコン制御部４１の制御によりカラオケ曲を最初から再生させる信号、カラオケ曲の再生開始箇所を指示する信号等を赤外光としてカラオケ装置３１へ発する処理を行うものである。ＲＡＭ４３はリモコン制御部４１の処理に係るデータ等を一時的に記憶し、ＲＯＭ４４はリモコン制御部４１の基本的な処理内容を規定したプログラムを記憶している。
【０１３０】
また、記憶部４５は、カラオケ曲を選択する曲検索用データＴｄ、表示パネル部４０ａに表示する歌詞に係る複数の歌詞データＶｄ、及びリモコン制御部４１の処理内容を規定したリモコン用プログラムＣｐを記憶している。なお、歌詞データＶｄは第１実施形態と同様の構成である。表示処理インタフェース部４６は曲検索用画面及び図１２（ｂ）に示すように検索で選ばれたカラオケ曲の歌詞を表示パネル部４０ａに表示する処理を行う。インタフェース部４７は、複数のボタン及びスイッチ等を備える操作部４８で受け付けられたユーザからの操作内容（指示）をリモコン制御部４１へ伝える処理を行う。
【０１３１】
リモコン制御部４１は、操作部４８で特定のカラオケ曲の選択指示を受けると、記憶部４５の曲検索用データＴｄを検索して、選択指示に係るカラオケ曲を特定し、特定したカラオケ曲をカラオケ装置３１へ知らせるために、通信発光部４２からカラオケ曲の選択信号を発する処理を行わせる。
【０１３２】
また、特定したカラオケ曲の再生指示を操作部４８で受けると、リモコン制御部４１は、通信発光部４２からカラオケ曲を再生する指示信号を発する処理を行わせると共に、第１実施形態と同様に特定したカラオケ曲に対応する歌詞データＶｄに係る歌詞のフレーズＰ１０〜Ｐ１４を付属情報ｆ１、ｆ２も合わせて表示パネル４０ａに表示する処理を表示処理インタフェース部４６に行わせる（図１２（ｂ）参照）。なお、表示処理インタフェース部４６は、第１実施形態と同様に歌詞と共に一つのフレーズＰ１２を指示するカーソルポイント３７を表示する。
【０１３３】
さらに、図１２（ｂ）に示す内容を表示した状態で、操作部４８がカーソルポイント３７を上又は下に移動させる指示を受け付けると、リモコン制御部４１の制御により表示処理インタフェース部４６はカーソルポイント３７の位置を上又は下に移動して表示する処理を行う。さらにまた、カーソルポイント３７が最上位又は最下位に位置する場合に、操作部４８がカーソルポイント３７を上又は下に移動させる指示を受け付けると、リモコン制御部４１の制御により表示処理インタフェース部４６は表示パネル４０ａに表示する歌詞を上方向又は下方向にスクロールする処理を行う。
【０１３４】
なお、操作部４８が、上述したカーソルポイント３７を上又は下に移動させる指示を受け付けた場合、リモコン制御部４１は、カーソルポイント３７を上又は下に移動させた位置を示す変更指示を、通信発光部４２から発する制御を行う。
【０１３５】
また、カーソルポイント３７がいずれか一つのフレーズを指示する状態で、操作部４８がフレーズの選択の指示を受け付けると、そのフレーズに対応する箇所から再生を開始させる指示信号を通信発光部４２から発するようにリモコン制御部４１は制御を行う。さらに、選択の指示を受け付けた後に続いて、操作部４８がメモリ処理の操作を受け付けると、選択に係るフレーズの箇所（時間データＴ０〜Ｔｎが規定する箇所）を記憶部４５に記憶させるようにリモコン制御部４１は制御を行う。このように一旦、フレーズの箇所が記憶されると、第１実施形態と同様にメモリ再生の指示を操作部４８が受け付けると、記憶された箇所からの再生指示を通信発光部４２から発するようにリモコン制御部４１は制御を行う。
【０１３６】
上述したように第２実施形態に係るカラオケシステム３０は、図１２（ａ）に示すモニタ装置３２での表示と図１２（ｂ）に示すリモコン装置４０側での表示により、ユーザは現在の歌唱箇所に応じたフレーズと、全体的な歌詞とを一度に確認できる。また、ユーザは、リモコン装置４０側で表示されるフレーズを選択する操作を行えば、カラオケ装置３１で所望の箇所からカラオケデータＫｄの再生を行うことができる。
【０１３７】
なお、第２実施形態においても、第１実施形態で述べたプレーヤプログラムＡｐをインストールした携帯電話器１０での処理内容に係る各種変形例の適用が可能である。また、第２実施形態では、リモコン装置４０にインターネットのようなネットワークに対する通信機能を設けて、ネットワークから曲検索用データＴｄ及び歌詞データＶｄを取得するようにして、新たなカラオケ曲に対するデータの更新をネットワーク側で行うようにして、データ更新に係る処理負担を低減した構成にすることも可能である。
【図面の簡単な説明】
【０１３８】
【図１】本発明の第１実施形態に係るカラオケネットワークシステムの全体的な構成を示す概略図である。
【図２】中央装置の内部構成を示すブロック図である。
【図３】中央装置が開設するウェブサイトのトップページを示す概略図である。
【図４】（ａ）は楽曲データ及び歌詞データの概念的な構成を示す図であり、（ｂ）は歌詞データ中の一つの歌詞フレーズ部の中身を概念的に示した図である。
【図５】携帯電話器の内部構成を示すブロック図である。
【図６】（ａ）は再生方法選択メニューを示す概略図であり、（ｂ）は歌詞表示選択メニューを示す概略図である。
【図７】（ａ）は携帯電話器での歌詞及び再生箇所に対応する部分を表示した内容を示す概略図、（ｂ）はインジケータを示す概略図である。
【図８】（ａ）（ｂ）は携帯電話器でのインジケータ及び再生箇所に対応する部分を表示した内容を示す概略図である。
【図９】携帯電話器での再生停止中の表示内容を示す概略図である。
【図１０】プレーヤプログラムに基づく処理内容を示すフローチャートである。
【図１１】（ａ）はカラオケシステムの構成を示す概略図、（ｂ）は第１実施形態の変形例に係る表示内容を示す概略図である。
【図１２】（ａ）は第２実施形態に係るカラオケ装置側での表示内容を示す概略図、（ｂ）はリモコン装置側での表示内容を示す概略図である。
【図１３】第２実施形態のカラオケ装置の内部構成を示すブロック図である。
【図１４】第２実施形態のリモコン装置の内部構成を示すブロック図である。
【図１５】再生開始箇所が選択された場合のカラオケ装置側の表示内容を示す概略図である。
【図１６】従来の表示内容を示す概略図である。
【符号の説明】
【０１３９】
１  カラオケネットワークシステム
２  中央装置
１０  携帯電話器
１０ｃ  表示パネル部
１１  操作部
１２  システムコントロール部
１６  ＭＩＤＩ音源部
１８  表示処理部
１９  記憶部
２５  インジケータ
２６  指示ポイント
２７  カーソルポイント
３０  カラオケシステム
３１  カラオケ装置
３２  モニタ装置
４０  リモコン装置
４０ａ  表示パネル部
ｆ１、ｆ２  付属情報
Ｈ  表示範囲
ｈ１  上領域
ｈ２  下領域
Ｐ１、Ｐ２、Ｐ１０〜Ｐ１６  フレーズ
Ｋｄ  カラオケデータ
Ｇｄ  楽曲データ
Ｖｄ  歌詞データ
Ａｐ  プレーヤプログラム
【図１】
2006163085.tif 000003
【図２】
2006163085.tif 000004
【図３】
2006163085.tif 000005
【図４】
2006163085.tif 000006
【図５】
2006163085.tif 000007
【図６】
2006163085.tif 000008
【図７】
2006163085.tif 000009
【図８】
2006163085.tif 000010
【図９】
2006163085.tif 000011
【図１０】
2006163085.tif 000012
【図１１】
2006163085.tif 000013
【図１２】
2006163085.tif 000014
【図１３】
2006163085.tif 000015
【図１４】
2006163085.tif 000016
【図１５】
2006163085.tif 000017
【図１６】
2006163085.tif 000018